(57)【要約】    【課題】回路規模の増大及び画質劣化を招くことなく、視線移動に伴う中間調輝度の解像度劣化を抑制することが可能な画像信号処理装置を提供する。    【解決手段】入力映像信号によって示される輝度レベルを各画素毎に表す画素データに対して動き補償処理を施して得られた動き補償画素データに基づき、各サブフィールド毎にそのサブフィールドで表示セルを点灯状態及び消灯状態の内のいずれの状態に設定するのかを示すサブフィールドデータを生成する。    【選択図】図２
2008225044.tif 000002
【特許請求の範囲】
【請求項１】
画素を担う複数の表示セルが形成されている表示パネルを、入力映像信号における各フレーム毎に複数のサブフィールドによって駆動する表示装置の画像信号処理装置であって、
前記入力映像信号によって示される各画素毎の輝度レベルを表す画素データに対して画像中の移動体の動きを滑らかにすべき動き補償処理を施すことにより動き補償画素データを生成する動き補償処理手段と、
前記動き補償画素データに基づき前記サブフィールド各々において前記表示セルを点灯状態及び消灯状態の内のいずれの状態に設定するのかを示すサブフィールドデータを生成するサブフィールドデータ生成手段と、を有することを特徴とする画像信号処理装置。
【請求項２】
前記動き補償処理手段は、前記画素データにおけるリフレッシュレートをＭ倍（Ｍ：１より大の有理数）に変換するリフレッシュレート変換手段を含むことを特徴とする請求項１記載の画像信号処理装置。
【請求項３】
前記Ｍは２以上の整数であることを特徴とする請求項２記載の画像信号処理装置。
【請求項４】
前記サブフィールドデータ生成手段は、１フレームの表示期間の１／Ｍ倍の表示期間毎に、前記動き補償画像データに基づき前記サブフィールドデータを生成することを特徴とする請求項２記載の画像信号処理装置。
【発明の詳細な説明】
【技術分野】
【０００１】
単位表示期間毎の発光実施期間によって中間輝度を表現するようにした表示装置における画像信号処理装置に関する。
【背景技術】
【０００２】
現在、薄型の表示装置として、交流放電型のプラズマディスプレイパネル(以下、ＰＤＰと称する)を搭載したプラズマディスプレイ装置が製品化されている。ＰＤＰには、２次元画面の横方向（水平方向）に夫々伸張して配列された複数の行電極と、２次元表示画面の縦方向（垂直方向）に夫々伸張して配列された複数の列電極とが互いに交叉して形成されており、各交叉部の領域に画素に対応した放電セル（表示セル）が形成されている。
【０００３】
プラズマディスプレイ装置では、上記の如きＰＤＰに対してサブフィールド法に基づく駆動を実施することにより、入力映像信号に対応した各種中間輝度を表現するようにしている。
【０００４】
サブフィールド法に基づく階調駆動では、１フィールド又は１フレームの表示期間（以下、単位表示期間と称する）を、夫々に異なる発光実施期間が割り当てられているＮ個のサブフィールドに分割し、各サブフィールド毎に、以下の如き動作を実施する。
【０００５】
すなわち、先ず、入力映像信号に基づき各サブフィールド毎にそのサブフィールドで放電セルを点灯モード及び消灯モードの内のいずれに設定するのかを示すデータ（以下、ＳＦデータと称する）を生成する。次に、かかるＳＦデータに応じて選択的に各放電セルを放電（選択放電）させることにより、点灯モードに設定されている放電セルにのみ壁電荷の形成を行う（アドレス期間）。次に、そのサブフィールドに割り当てられている発光実施期間に亘り、壁電荷が形成されている放電セルのみを繰り返しサスティン放電させ、このサスティン放電に伴う発光状態を維持させる（サスティン期間）。つまり、各サブフィールド毎に、そのサブフィールドのサスティン期間において壁電荷が形成されている放電セルは発光状態となる一方、壁電荷が形成されていない放電セルは非発光状態となる。以上の如き駆動により、単位表示期間内において生起されたサスティン放電の合計回数に対応した中間輝度が視覚される。
【０００６】
ここで、このようなサブフィールド法に基づく階調駆動によると、１フレーム表示期間内において、放電セルが点灯している期間と、消灯状態を維持している期間とが存在することになる。よって、鑑賞者が、画面内において互いに異なる輝度からなる２つの画像領域間で視線移動を行うと、その境界部の放電セルに対して、点灯状態（又は消灯状態）の一部の区間しか認識できなくなる場合があり、正しい中間輝度が視覚されなくなる。
【０００７】
以下に、鑑賞者が画面上から下に移動する表示物体を目で追うべく、図１に示す如き画面上下方向に夫々隣接して配置されている放電セルＧ１からＧ４へと視線を移動させた場合を一例にとって、その中間輝度の解像度低下現象について説明する。
【０００８】
尚、放電セルＧ１〜Ｇ４の内のＧ１及びＧ２は、図１に示す如く１フレーム表示期間内のサブフィールドＳＦ１〜ＳＦ８各々のサスティン期間でサスティン放電が生起され、その発光状態を維持する。一方、放電セルＧ３及びＧ４は、サブフィールドＳＦ１〜ＳＦ５各々のサスティン期間でサスティン放電が生起されてその発光状態を維持するものの、それ以降のＳＦ６〜ＳＦ８各々のサスティン期間ではサスティン放電が生起されず、非発光状態を維持するものとする。
【０００９】
鑑賞者が、図１において各波線矢印で表される様に視線を移動させた場合、視線上の波線矢印Ａの部分ではＳＦ１〜ＳＦ５までの累積輝度を視覚することとなる。また、視線上の波線矢印Ｄの部分ではＳＦ１〜ＳＦ８までの累積輝度を視覚することとなる。
【００１０】
ところが、目の残光現象により、発光状態から非発光状態へ遷移する境界部（波線にて示す）において、視線上の波線矢印Ｂ〜波線矢印Ｃの部分では、入力映像信号上では、ＳＦ１〜ＳＦ８までの累積輝度からＳＦ１〜ＳＦ５までの累積輝度に急峻に切替っているのに係らず、輝度がＳＦ１〜ＳＦ５までの累積輝度とＳＦ１〜ＳＦ８までの累積輝度との中間輝度、すなわち本来の表示画像の輝度とは異なる輝度が視覚されてしまう。この異なる輝度が視覚される領域は、図１中の矢印Ｗで表され、この矢印Ｗの長さに対応した太さ分だけボケた画像として視覚される。つまりこの矢印Ｗの長さが、解像度が低下する範囲となる。つまり、１フレーム表示期間内において、隣り合う画素間で、発光状態の異なる期間が大ほど、図１に示す如き解像度低下が生じる範囲が大きくなり、その解像度低下が顕著に表れるようになるのである。
【００１１】
そこで、かかる問題を解決すべく、入力映像信号に基づき各画素又は画素群毎の動きベクトルを検出し、この動きベクトルに従って上記ＳＦデータに対して動き補償処理を施すようにした中間調表示方法が提案された（例えば、特許文献１参照）。かかる中間調表示方法では、各フレーム内の先頭サブフィールドでは、上記ＳＦデータに従った表示駆動を行う。一方、先頭サブフィールドに後続するサブフィールド各々では、先頭サブフィールドからの遅れ時間をフレーム周期で割った値を上記動きベクトルに乗算し、その乗算結果を用いて表示位置を移動させるべき動き補償処理を施したＳＦデータに従って表示駆動を行うようにしている。
【００１２】
しかしながら、このような中間調表示方法によると、放電セルを点灯モード及び消灯モードの内のいずれに設定するのかを示すＳＦデータに対して動き補償処理を施すので、画質が劣化すると共に、その動き補償処理回路が大規模なものになってしまうという問題があった。
【特許文献１】平成０８−２１１８４８号公報
【発明の開示】
【発明が解決しようとする課題】
【００１３】
本発明は、かかる問題を解決すべく為されたものであり、回路規模の増大及び画質劣化を招くことなく、視線移動に伴う中間調輝度の解像度劣化を抑制することが可能な画像信号処理装置を提供することを目的とするものである。
【課題を解決するための手段】
【００１４】
請求項１記載による画像信号処理装置は、画素を担う複数の表示セルが形成されている表示パネルを、入力映像信号における各フレーム毎に複数のサブフィールドによって駆動する表示装置の画像信号処理装置であって、前記入力映像信号によって示される各画素毎の輝度レベルを表す画素データに対して画像中の移動体の動きを滑らかにすべき動き補償処理を施すことにより動き補償画素データを生成する動き補償処理手段と、前記動き補償画素データに基づき前記サブフィールド各々において前記表示セルを点灯状態及び消灯状態の内のいずれの状態に設定するのかを示すサブフィールドデータを生成するサブフィールドデータ生成手段と、を有する。
【発明を実施するための最良の形態】
【００１５】
入力映像信号によって示される輝度レベルを各画素毎に表す画素データに対して動き補償処理を施して得られた動き補償画素データに基づき、各サブフィールド毎にそのサブフィールドで表示セルを点灯状態及び消灯状態の内のいずれの状態に設定するのかを示すサブフィールドデータを生成する。かかる構成によれば、上記サブフィールドデータに動き補償処理を施す場合に比して、画質劣化及び回路規模の増大を抑えつつ、視線移動に伴う中間調輝度の解像度劣化を抑制することが可能となる。
【実施例】
【００１６】
図２は、本発明による画像信号処理装置を搭載したプラズマディスプレイ装置の概略構成を示す図である。
【００１７】
図２において、プラズマディスプレイパネルとしてのＰＤＰ１０は、放電ガスが封入されている放電空間を挟んで対向配置された前面透明基板及び背面基板（図示せぬ）を備えている。前面透明基板上には２次元画面の横方向（水平方向）に夫々伸張して配列された行電極Ｘ1〜Ｘn及び行電極Ｙ1〜Ｙnが形成されている。これら行電極Ｘ1〜Ｘn及び行電極Ｙ1〜Ｙnは、夫々一対の行電極Ｘi及びＹi(ｉ：1〜n)にて、ＰＤＰ１０における第１〜第ｎ表示ラインを担っている。背面基板上には、行電極Ｘ1〜Ｘn及び行電極Ｙ1〜Ｙn各々と交叉するように、２次元表示画面の縦方向（垂直方向）に夫々伸張して配列された列電極Ｄ1〜Ｄmが形成されている。上記放電空間を含む各行電極対（Ｘ、Ｙ）と列電極Ｄとの交叉部に、画素を担う放電セル（表示セル）Ｐが形成される構造となっている。
【００１８】
Ａ／Ｄ変換器１は、入力映像信号によって示される各画素毎の輝度レベルを夫々８ビットにて表す画素データＰＤに変換し、動き補償型高速レート変換回路２に供給する。
【００１９】
動き補償型高速レート変換回路２は、画素データＰＤによる画素データ系列のリフレッシュレートをＭ倍（Ｍ：２以上の整数）に高めた画素データ系列に対して、画像中の移動体の動きを滑らかにすべき動き補償処理を施して得られた動き補償画素データＶＤをＳＦデータ生成回路３に供給する。尚、動き補償型高速レート変換回路２の詳細な動作については後述する。
【００２０】
ＳＦデータ生成回路３は、動き補償画素データＶＤに対して、先ず、誤差拡散処理及びディザ処理等からなる多階調化処理を施すことにより多階調化画素データを得る。かかる多階調化処理では、動き補償画素データＶＤによって表される輝度レベルを互いに隣接する複数の画素からなる画素ブロック単位で表現すべく、その画素ブロック内の各画素に対応した多階調化画素データを求める。次に、ＳＦデータ生成回路３は、多階調化画素データに基づき、図３に示す如きサブフィールドＳＦ１〜ＳＦ７各々において放電セルＰを点灯モード及び消灯モードの内のいずれに設定するのかを各ビット桁毎に表す７ビットのＳＦ（サブフィールド）データＧＤを生成する。すなわち、例えば、ＳＦデータＧＤの第１ビット目がサブフィールドＳＦ１、第２ビット目がＳＦ２、第３ビット目がＳＦ３、・・・、第７ビット目がＳＦ７に夫々対応しており、そのビット桁の論理レベルによって点灯モード及び消灯モードの内の一方を表すＳＦデータＧＤを生成するのである。ＳＦデータ生成回路３は、各画素（放電セルＰ）毎に生成したＳＦデータＧＤ(1,1)〜ＧＤ(n,m)の各々をＳＦメモリ４に供給する。
【００２１】
ＳＦメモリ４は、ＳＦデータＧＤ(1,1)〜ＧＤ(n,m)の各々を順次書き込む。ここで、１フレーム分、つまり第１行・第１列〜第ｎ行・第ｍ列の各画素に対応したＳＦデータＧＤ(1,1)〜ＧＤ(n,m)の書き込みが終了すると、ＳＦメモリ４は、以下の如き読み出し動作を行う。
【００２２】
先ず、ＳＦメモリ４は、図３に示す如きサブフィールドＳＦ１において、書き込まれているＳＦデータＧＤ(1,1)〜ＧＤ(n,m)各々の第１ビットのみを分離して読み出し、これらをＳＦ１アドレスデータビットＤＢ(1,1)〜ＤＢ(n,m)としてアドレスドライバ６に供給する。次に、ＳＦメモリ４は、図３に示す如きサブフィールドＳＦ２において、上記ＳＦデータＧＤ(1,1)〜ＧＤ(n,m)各々の第２ビットのみを分離して読み出し、これらをＳＦ２アドレスデータビットＤＢ(1,1)〜ＤＢ(n,m)としてアドレスドライバ６に供給する。次に、ＳＦメモリ４は、図３に示す如きサブフィールドＳＦ３において、上記ＳＦデータＧＤ(1,1)〜ＧＤ(n,m)各々の第３ビットのみを分離して読み出し、これらをＳＦ３アドレスデータビットＤＢ(1,1)〜ＤＢ(n,m)としてアドレスドライバ６に供給する。以下、同様にして、ＳＦメモリ４は、サブフィールドＳＦ４〜ＳＦ７各々において、ＳＦデータＧＤ(1,1)〜ＧＤ(n,m)各々から、そのサブフィールドに対応したビット桁びビットを分離して読み出し、夫々ＳＦ４〜ＳＦ７アドレスデータビットＤＢとしてアドレスドライバ６に供給する。
【００２３】
駆動制御回路２０は、Ｍ倍速フレーム周期ＴＢ毎に、図３に示される発光駆動シーケンスに従ってＰＤＰ１０を駆動すべき各種制御信号を発生して、アドレスドライバ６、Ｘ電極ドライバ７及びＹ電極ドライバ８からなるパネルドライバに供給する。すなわち、駆動制御回路２０は、Ｍ倍速フレーム周期ＴＢ毎に、サブフィールドＳＦ１〜ＳＦ７各々において、アドレス行程Ｗ及びサスティン行程Ｉ各々に従った駆動を順次実施させるべき各種制御信号をパネルドライバに供給する。又、駆動制御回路２０は、先頭のサブフィールドＳＦ１に限り、アドレス行程Ｗに先立ち、リセット行程Ｒに従った駆動を実施させるべき各種制御信号をパネルドライバに供給する。尚、上記Ｍ倍速フレーム周期ＴＢとは、動き補償型高速レート変換回路２によって、画素データＰＤによる画素データ系列のリフレッシュレートをＭ倍に高めた際の１フレーム分の周期である。
【００２４】
パネルドライバ、つまりアドレスドライバ６、Ｘ電極ドライバ７及びＹ電極ドライバ８は、駆動制御回路２０から供給された各種制御信号に応じて、各種駆動パルスを生成してＰＤＰ１０の列電極Ｄ、行電極Ｘ及びＹに供給する。先ず、先頭のサブフィールドＳＦ１のリセット行程Ｒでは、Ｘ電極ドライバ７及びＹ電極ドライバ８が、リセットパルスを全ての行電極Ｘ1〜Ｘn及び行電極Ｙ1〜Ｙnに印加する。かかるリセットパルスの印加に応じて、全ての放電セルＰ内においてリセット放電が生起され、全放電セルＰ内には所定量の壁電荷が形成される。これにより、全ての放電セルＰは点灯モードの状態に初期化される。又、サブフィールドＳＦ１〜ＳＦ７各々のアドレス行程Ｗでは、アドレスドライバ６が、ＳＦメモリ４から供給されたＳＦアドレスデータビットＤＢの論理レベルに対応したパルス電圧を有する画素データパルスを生成する。例えば、アドレスドライバ６は、ＳＦアドレスデータビットＤＢが論理レベル１である場合には高電圧、論理レベル０である場合には低電圧の画素データパルスを生成する。そして、アドレスドライバ６は、かかる画素データパルスを１表示ライン分（ｍ個）ずつの画素データパルス群ＤＰとして、順次、列電極Ｄ1〜Ｄmに印加する。更に、アドレス行程Ｗでは、Ｙ電極ドライバ８が、各画素データパルス群ＤＰの印加タイミングと同一タイミングにて、走査パルスを行電極Ｙ1〜Ｙnへと順次印加して行く。この際、走査パルスが印加された行電極と、高電圧の画素データパルスが印加された列電極との交叉部の放電セルＰにのみ選択的に放電が生じ、その放電セルＰ内に残存していた壁電荷が消去される。つまり、壁電荷を失った放電セルＰは消灯モードに設定されるのである。一方、かかる放電が生起されなかった放電セルＰはその直前までの状態、つまり点灯モード又は消灯モードの状態を維持する。又、サブフィールドＳＦ１〜ＳＦ７各々のサスティン行程Ｉでは、Ｘ電極ドライバ７及びＹ電極ドライバ８が、行電極Ｘ1〜Ｘn及びＹ1〜Ｙnに対して交互に、そのサブフィールドＳＦの輝度重みに対応した回数分だけ繰り返しサスティンパルスを印加する。かかるサスティンパルスの印加により、壁電荷が残留したままとなっている放電セルＰ、すなわち点灯モードの状態にある放電セルＰのみが、このサスティンパルスが印加される度にサスティン放電し、そのサスティン放電に伴う発光状態を維持する。この際、各フレーム表示期間内において生起されたサスティン放電の総数に対応した輝度が視覚される。
【００２５】
以上の如く、図２に示されるプラズマディスプレイ装置では、先ず、動き補償型高速レート変換回路２により、各画素毎に表示すべき輝度レベルを表す画素データＰＤに対して、高速レート変換及び動き補償処理を施すことにより動き補償画素データＶＤを生成する。そして、かかる動き補償画素データＶＤに基づき、各サブフィールドにおいて放電セルＰを点灯モード及び消灯モードの内のいずれに設定するのかを表すＳＦデータＧＤを生成し、このＳＦデータＧＤに応じてＰＤＰ１０を階調駆動するようにしている。
【００２６】
図４は、動き補償型高速レート変換回路２の内部構成の一例を示す図である。
【００２７】
図４において、高速レート変換回路２０は、Ａ／Ｄ変換器１から供給された画素データＰＤによる系列のリフレッシュレートをＭ倍に変換し、その変換後の画素データ系列による１フレーム分が各フレーム毎にＭ回に亘り繰り返して配置されてなる高速画素データ系列ＳＤを生成して表示位置変更回路２１に供給する。例えば、画素データＰＤ系列のリフレッシュレートを２倍に変換する場合には、高速レート変換回路２０は、図５に示す如く、画素データＰＤによる画素データ系列が各フレーム毎に夫々２回に亘り繰り返し配置されてなる高速画素データ系列ＳＤを生成するのである。
【００２８】
動きベクトル検出回路２２は、画素データＰＤによる各フレーム毎に、そのフレームの画像と、過去フレームの画像とを例えばブロックマッチング法に基づいて比較することにより動きベクトルを検出し、この動きベクトルを表す動きベクトルデータＭＶを表示座標演算回路２３に供給する。すなわち、動きベクトル検出回路２２は、先ず、画素データＰＤによる１フレーム分の画像中の例えば８画素×８画素からなる画素ブロック毎に、その画素ブロック内の絵柄と略一致する絵柄を有する画素ブロックを、そのフレーム（現フレーム）よりも例えば１フレーム分だけ過去のフレーム（過去フレーム）の画像中から検出する。そして、動きベクトル検出回路２２は、上述した如く絵柄の一致した画素ブロック同士の内、過去フレームの画像中から検出した画素ブロックの座標位置を始点、現フレームの画像中における画素ブロックの座標位置を終点とした２次元ベクトルを各画素ブロック毎に示す動きベクトルデータＭＶを生成するのである。
【００２９】
移動量係数生成回路２４は、高速レート変換回路２０から、各フレーム表示期間毎にＭ回に亘り繰り返し出力される１フレーム分の高速画素データ系列ＳＤにおける、各フレーム表示期間内でのＭ個の出力時点各々に対応した移動量係数を示す移動量係数信号ＭＲを生成し、これを表示座標設定回路２３に供給する。つまり、移動量係数生成回路２４は、高速レート変換回路２０から、各フレーム表示期間内において出力される第１番目〜第Ｍ番目の１フレーム分の高速画素データ系列ＳＤに夫々対応させて、
ＭＲ＝（ｋ−１）／Ｍ
ｋ：出力順番｛1,2,3,・・・,M｝
にて表される移動量係数信号ＭＲを生成するのである。
【００３０】
例えば、各フレーム表示期間内において高速レート変換回路２０が５回に亘り繰り返し１フレーム分の高速画素データ系列ＳＤを出力する場合、移動量係数生成回路２４は、図６に示す如き第１〜第５番目の高速画素データ系列ＳＤ1〜ＳＤ5各々に対応させて、
ＳＤ1：「０」
ＳＤ2：「0.2」
ＳＤ3：「0.4」
ＳＤ4：「0.6」
ＳＤ5：「0.8」
なる移動量係数信号ＭＲを生成する。
【００３１】
すなわち、移動量係数生成回路２４は、動きベクトル検出回路２２によって検出された１フレーム表示期間毎の動きベクトルに基づき、この１フレーム表示期間内を更にＭ分割した際の夫々の時点での表示物体の座標位置を算出する為の移動量係数を生成するのである。
【００３２】
表示座標設定回路２３は、各画素ブロック毎の２次元動ベクトルを示す動きベクトルデータＭＶに上記移動量係数信号ＭＲを乗算することにより、各画素ブロック毎に表示物体の移動後の座標位置を求め、その座標位置を示す座標位置データＺＤを表示位置変更回路２１に供給する。
【００３３】
表示位置変更回路２１は、上記Ｍ倍速フレーム周期ＴＢ毎に、１フレーム分の高速画素データ系列ＳＤに対して、この高速画素データ系列ＳＤにて示される表示物体の座標位置を上記座標位置データＺＤにて示される座標位置に移動させるべき処理を施すことにより動き補償画素データＶＤを得る。
【００３４】
例えば、図６に示される一例では、表示位置変更回路２１は、１フレーム表示期間内において、各Ｍ倍速フレーム周期ＴＢ毎に、高速画素データ系列ＳＤ1〜ＳＤ5各々に対応した動き補償画素データＶＤ1〜ＶＤ5を順次生成して、ＳＦデータ生成回路３に供給する。この際、図６に示す如き第Ｑフレームの高速画素データ系列ＳＤ1に対する移動量係数信号ＭＲは「０」である。よって、この際、第Ｑフレーム及び第（Ｑ＋１）フレーム間内の第Ｑフレームの表示時点において表示されるであろう画像、つまり第Ｑフレームの画像を表す動き補償画素データＶＤ1が生成される。又、第Ｑフレームの高速画素データ系列ＳＤ2に対する移動量係数信号ＭＲは「0.2」である。よって、この際、第Ｑフレームの表示時点から0.2フレーム期間経過後の時点において表示されるであろう画像を表す１フレーム分の動き補償画素データＶＤ2が生成される。又、第Ｑフレームの高速画素データ系列ＳＤ3に対する移動量係数信号ＭＲは「0.4」である。よって、この際、第Ｑフレームの表示時点から0.4フレーム期間経過後の時点において表示されるであろう画像を表す１フレーム分の動き補償画素データＶＤ3が生成される。又、第Ｑフレームの高速画素データ系列ＳＤ4に対する移動量係数信号ＭＲは「0.6」である。よって、この際、第Ｑフレームの表示時点から0.6フレーム期間経過後の時点において表示されるであろう画像を表す１フレーム分の動き補償画素データＶＤ4が生成される。又、第Ｑフレームの高速画素データ系列ＳＤ5に対する移動量係数信号ＭＲは「0.8」である。よって、この際、第Ｑフレームから0.8フレーム期間経過後の時点において表示されるであろう画像を表す１フレーム分の動き補償画素データＶＤ5が生成される。
【００３５】
従って、図６に示される１フレーム表示期間内では、先ず、第１番目のＭ倍速フレーム周期ＴＢ1にて、図３に示す発光駆動シーケンスに従って、第Ｑフレームに対応した画像を表示させるべき発光駆動が為される。次に、第２番目のＭ倍速フレーム周期ＴＢ2にて、図３に示す発光駆動シーケンスに従って、第（Ｑ＋0.2）フレームに対応した画像を表示させるべき発光駆動が為される。次に、第３番目のＭ倍速フレーム周期ＴＢ3にて、図３に示す発光駆動シーケンスに従って、第（Ｑ＋0.4）フレームに対応した画像を表示させるべき発光駆動が為される。次に、第４番目のＭ倍速フレーム周期ＴＢ4にて、図３に示す発光駆動シーケンスに従って、第（Ｑ＋0.6）フレームに対応した画像を表示させるべき発光駆動が為される。そして、第５番目のＭ倍速フレーム周期ＴＢ5にて、図３に示す発光駆動シーケンスに従って、第（Ｑ＋0.8）フレームに対応した画像を表示させるべき発光駆動が為されるのである。
【００３６】
これにより、第Ｑフレームに対応した画像を表示させるべき発光駆動及び第（Ｑ＋１）フレームに対応した画像を表示させるべき発光駆動のみを順次実行する場合に比して、表示画像中の移動体の動作が滑らかに表示されるようになる。
【００３７】
更に、かかる駆動によれば、鑑賞者が画面内において移動する表示物体を目で追った際に生じる解像度の劣化が抑制される。
【００３８】
以下に、その作用効果について図７を参照しつつ説明する。
【００３９】
図７は、画面上下方向に夫々隣接して配置されている放電セルＰ１〜Ｐ４と、各放電セルＰを駆動する際の発光駆動シーケンスを示す図である。
【００４０】
尚、図７に示される発光駆動シーケンスは、図１に示す駆動を本発明に基づく駆動に置き換えたものである。つまり、図７に示される発光駆動シーケンスは、図１に示す如き各フレーム表示期間毎に８つのサブフィールドＳＦ１〜ＳＦ８で駆動を行う代わりに、４つのサブフィールドＳＦ１〜ＳＦ４による駆動を２回（２倍速フレーム周期ＴＢ1及びＴＢ2）に亘り実施するようにしたものである。この際、動き補償型高速レート変換回路２は、画素データＰＤによる系列のリフレッシュレートを２倍に変換し、各フレーム表示期間毎に前半の２倍速フレーム周期ＴＢ1及び後半の２倍速フレーム周期ＴＢ2各々において１フレーム分の動き補償画素データＶＤを生成する。又、図１及び図７に示される駆動では互いに、１フレーム表示期間内において印加するサスティンパルスの総数が同一である。よって、各２倍速フレーム周期ＴＢのサブフィールドＳＦ１〜ＳＦ４において印加されるサスティンパルスの総数は１フレーム表示期間内での総数の1/2となる。
【００４１】
図７において、先ず、２倍速フレーム周期ＴＢ1では移動量係数ＭＲが「０」である為、入力された画像データがそのまま用いられ、その画像データに基づく発光駆動が、この２倍速フレーム周期ＴＢ1内のサブフィールドＳＦ１〜ＳＦ４によって為される。すなわち、図１に示される駆動では、放電セルＧ１及びＧ２を１フレーム表示期間内の全サブフィールドＳＦ１〜ＳＦ８で発光状態とし総数Ｋ回のサスティン放電を行うが、図７に示される駆動では、２倍速フレーム周期ＴＢ1内の全サブフィールドＳＦ１〜ＳＦ４で発光状態とし総数（Ｋ／２）回のサスティン放電を行う。又、図１に示される駆動では、放電セルＧ３及びＧ４をサブフィールドＳＦ１〜ＳＦ５で発光状態とし総数（Ｋ／２）回のサスティン放電を行うが、図７に示される駆動では、２倍速フレーム周期ＴＢ1内のサブフィールドＳＦ１及びＳＦ２で発光状態とし総数（Ｋ／４）回のサスティン放電を行う。
【００４２】
次に、２倍速フレーム周期ＴＢ2では移動量係数ＭＲが「0.5」である為、フレーム間移動量の半分の移動量が加味された画像データに基づく発光駆動が、この２倍速フレーム周期ＴＢ2内のサブフィールドＳＦ１〜ＳＦ４各々によって為される。
【００４３】
ここで、鑑賞者が、画面上から下に移動する表示物体を目で追うべく、図７に示される各波線矢印で示される様に、その視線を放電セルＰ１からＰ４へと移動させると、この鑑賞者の目には、放電セルＰ１及びＰ２を眺めている時点では発光状態、放電セルＰ３及びＰ４を眺めている時点では非発光状態が映ることになる。この際、目の残光現象により、発光状態から非発光状態へ遷移する境界部（波線にて示す）において、本来の表示画像の輝度とは異なる輝度が視覚されてしまい、解像度の低下が生じる。このような現象は、視線上の波線矢印Ｂ〜波線矢印Ｃの部分で生じる。つまり、図７に示される駆動によると、解像度劣化発生範囲は、図１と同様に、矢印Ｗの長さに対応する。図１と図７とを比較すると図７の方が矢印Ｗの長さ、すなわち解像度劣化発生範囲が狭くなっていることが分かる。
【００４４】
図７に示される駆動では図１に示される駆動に比して、輝度重みが大なるサブフィールド（例えば図７ではＳＦ４、図１ではＳＦ８）に割り当てられているサスティンパルス数が少ない。よって、図７に示される駆動によれば、隣り合う画素間で、発光状態の異なる期間が図１に示される駆動に比して短くなるので、その解像度劣化の発生範囲も狭くなる。
【００４５】
従って、本発明による駆動によれば、鑑賞者が画面内において移動する表示物体を目で追った際に生じる解像度の劣化が抑制される。
【００４６】
なお、本実施例ではＭの値を２以上の整数として実施した例を示したが、Ｍは正の有理数であればよい。例えば、Ｍ＝10/3と設定することも可能である。その場合、移動量係数信号ＭＲは0、0.3、0.6、0.9、1.2・・・と0.3ずつ増加する様態となる。しかしながら、Ｍを２以上の整数と設定した方が、１フィールド毎に必ず、例えば本実施例の如くＴＢ1で全て元の画素データを用いてＳＦデータに生成することができるので、サブフィールドデータに変換される画像データの正確さという点では好ましい。
【００４７】
また、本実施例では、各ＴＢの先頭のみでリセット行程Ｒを実行し、表示されるべき階調レベルに応じて先頭ＳＦから順に点灯モードに設定する構成を例示したが、これには限らない。例えば、各ＳＦの先頭にリセット行程Ｒを設けて表示されるべき階調レベルに応じて各ＳＦで点灯モード／非点灯モードの設定が任意に設定可能な、すなわちＮ個のＳＦで２N階調の階調レベルが表示可能な構成においても適応が可能である。
【００４８】
以上の如く、図２に示されるプラズマディスプレイ装置においては、先ず、入力映像信号によって示される輝度レベルを各画素毎に表す画素データＰＤに対して動き補償処理を施して動き補償画素データＶＤを得る。そして、かかる動き補償画素データＶＤによって表される各画素毎の輝度レベルに基づき、各サブフィールド毎にそのサブフィールドにおいて放電セルを点灯モード及び消灯モードの内のいずれに設定するのかを示すＳＦデータＧＤを生成し、かかるＳＦデータＧＤに応じてＰＤＰ１０を階調駆動するのである。
【００４９】
よって、かかる構成によれば、各放電セルを点灯モード及び消灯モードの内のいずれに設定するのかを示すＳＦデータに対して動き補償処理を施す場合に比して、画質劣化及び回路規模の増大を抑えて、視線移動に伴う中間調輝度の解像度劣化を抑制することが可能となる。
【図面の簡単な説明】
【００５０】
【図１】鑑賞者が放電セルＧ１からＧ４へと視線を移動させた際の各放電セルの発光駆動状態の一例を示す図である。
【図２】本発明による画像信号処理装置を含むプラズマディスプレイ装置の構成を示す図である。
【図３】図１に示されるプラズマディスプレイ装置において採用される発光駆動シーケンスの一例を示す図である。
【図４】動き補償型高速レート変換回路２の内部構成の一例を示す図である。
【図５】高速画素データ系列ＳＤの一例を示す図である。
【図６】動き補償型高速レート変換回路２による動き補償処理動作を説明する為の図である。
【図７】図２に示されるプラズマディスプレイ装置にて表示された画像に対して、鑑賞者が放電セルＰ１からＰ４へと視線を移動させた際の各放電セル毎の発光駆動状態の一例を示す図である。
【符号の説明】
【００５１】
２      動き補償型高速レート変換回路
３      ＳＦデータ生成回路
１０    ＰＤＰ
２０    駆動制御回路
【図１】
2008225044.tif 000003
【図２】
2008225044.tif 000004
【図３】
2008225044.tif 000005
【図４】
2008225044.tif 000006
【図５】
2008225044.tif 000007
【図６】
2008225044.tif 000008
【図７】
2008225044.tif 000009